(57)【要約】【構成】ＣＰＵ３４は、イメージセンサ１６によって捉えられたシーンを表す複数フレームの画像データの記録をキー入力装置４０に対して行われた記録開始操作に応答して開始し、記録開始指示を通信Ｉ／Ｆ４２を通して周辺のサブカメラに発行する。記録開始指示を受け付けたサブカメラは、動画記録を開始するとともに、カメラＩＤおよび記録開始時刻が記述されたカメラ情報を記録開始指示の発行元に返送する。返送されたカメラ情報が通信Ｉ／Ｆ４２によって受信されると、ＣＰＵ３４は、カメラ情報からカメラＩＤおよび記録開始時刻を抽出し、抽出されたカメラＩＤおよび記録開始時刻を記録開始操作によって記録された画像データに割り当てる。【効果】時刻合わせに関する性能ひいては記録性能が向上する。【選択図】図２
2013157762.tif 000002
【特許請求の範囲】
【請求項１】
撮像手段から繰り返し出力される複数の画像の記録を記録開始操作に応答して開始する記録開始手段、
前記記録開始手段の処理に関連して記録開始指示を周辺の電子カメラに向けて発行する第１発行手段、
前記第１発行手段によって発行された記録開始指示を受け付けた電子カメラからカメラ識別子と記録開始時刻とを含む属性情報を受信する受信手段、および
前記受信手段によって受信された属性情報を前記記録開始手段の処理によって記録された画像に割り当てる割り当て手段を備える、電子カメラ。
【請求項２】
前記記録開始手段によって開始された記録を記録終了操作に応答して終了する記録終了手段、および
前記記録終了手段の処理に関連して記録終了指示を前記受信手段によって受信された属性情報の送信元に向けて発行する第２発行手段をさらに備える、請求項１記載の電子カメラ。
【請求項３】
前記第２発行手段の処理に先立って前記受信手段を停止する停止手段手段をさらに備える、請求項２記載の電子カメラ。
【請求項４】
前記第１発行手段はブロードキャスト方式で前記記録開始指示を発行し、
前記第２発行手段はユニキャスト方式で前記記録終了指示を発行する、請求項２または３記載の電子カメラ。
【請求項５】
電子カメラのプロセッサに、
撮像手段から繰り返し出力される複数の画像の記録を記録開始操作に応答して開始する記録開始ステップ、
前記記録開始ステップの処理に関連して記録開始指示を周辺の電子カメラに向けて発行する発行ステップ、
前記発行ステップによって発行された記録開始指示を受け付けた電子カメラからカメラ識別子と記録開始時刻とを含む属性情報を受信する受信ステップ、および
前記受信ステップによって受信された属性情報を前記記録開始ステップの処理によって記録された画像に割り当てる割り当てステップを実行させるための、記録制御プログラム。
【請求項６】
電子カメラによって実行される記録制御方法であって、
撮像手段から繰り返し出力される複数の画像の記録を記録開始操作に応答して開始する記録開始ステップ、
前記記録開始ステップの処理に関連して記録開始指示を周辺の電子カメラに向けて発行する発行ステップ、
前記発行ステップによって発行された記録開始指示を受け付けた電子カメラからカメラ識別子と記録開始時刻とを含む属性情報を受信する受信ステップ、および
前記受信ステップによって受信された属性情報を前記記録開始ステップの処理によって記録された画像に割り当てる割り当てステップを備える、記録制御方法。
【請求項７】
メモリに保存された内部制御プログラムに従う処理を実行するプロセッサを備える電子カメラに供給される外部制御プログラムであって、
撮像手段から繰り返し出力される複数の画像の記録を記録開始操作に応答して開始する記録開始ステップ、
前記記録開始ステップの処理に関連して記録開始指示を周辺の電子カメラに向けて発行する発行ステップ、
前記発行ステップによって発行された記録開始指示を受け付けた電子カメラからカメラ識別子と記録開始時刻とを含む属性情報を受信する受信ステップ、および
前記受信ステップによって受信された属性情報を前記記録開始ステップの処理によって記録された画像に割り当てる割り当てステップを前記内部制御プログラムと協働して前記プロセッサに実行させるための、外部制御プログラム。
【請求項８】
外部制御プログラムを取り込む取り込み手段、および
前記取り込み手段によって取り込まれた外部制御プログラムとメモリに保存された内部制御プログラムとに従う処理を実行するプロセッサを備える電子カメラであって、
前記外部制御プログラムは、
撮像手段から繰り返し出力される複数の画像の記録を記録開始操作に応答して開始する記録開始ステップ、
前記記録開始ステップの処理に関連して記録開始指示を周辺の電子カメラに向けて発行する発行ステップ、
前記発行ステップによって発行された記録開始指示を受け付けた電子カメラからカメラ識別子と記録開始時刻とを含む属性情報を受信する受信ステップ、および
前記受信ステップによって受信された属性情報を前記記録開始ステップの処理によって記録された画像に割り当てる割り当てステップを前記内部制御プログラムと協働して実行するプログラムに相当する、電子カメラ。
【発明の詳細な説明】
【技術分野】
【０００１】
この発明は、電子カメラに関し、特に、撮像面で捉えられたシーンを表す画像を記録操作に応答して記録する、電子カメラに関する。
【背景技術】
【０００２】
この種のカメラの一例が、特許文献１に開示されている。この背景技術によれば、撮像画像記録装置は、識別子が各フレームに付与された記録可能画像を画像一時記憶部に記憶するとともに、識別子が各フレームに付与された表示画像データを記録画像指示装置に伝送する。
【０００３】
記録画像指示装置は、受信した表示画像データをディスプレイに表示するとともに使用者による操作入力を監視する。記録画像指示装置はまた、操作入力がないときに画像消去可能指示を撮像画像記録装置に繰り返し伝送する一方、操作入力があったときに画像記録指示を撮像画像記録装置に伝送する。伝送される指示には、表示画像データに付与された識別子に基づく識別子が記述される。
【０００４】
撮像画像記録装置は、画像消去指示に記述された識別子に対応する記録可能画像を画像一時記憶部から消去可能にし、画像記録指示に記述された識別子に対応する記録可能画像を記録媒体に記録する。
【先行技術文献】
【特許文献】
【０００５】
【特許文献１】特開２００８−３０６７０８号公報
【発明の概要】
【発明が解決しようとする課題】
【０００６】
しかし、背景技術では、記録画像指示装置に撮像装置が設けられることはなく、各々の装置で取得された動画像の間で時刻合わせが行われることもない。このため、背景技術では、記録性能に限界がある。
【０００７】
それゆえに、この発明の主たる目的は、記録性能を高めることができる、電子カメラを提供することである。
【課題を解決するための手段】
【０００８】
この発明に従う電子カメラ(10：実施例で相当する参照符号。以下同じ)は、撮像手段(16)から繰り返し出力される複数の画像の記録を記録開始操作に応答して開始する記録開始手段(S11)、記録開始手段の処理に関連して記録開始指示を周辺の電子カメラに向けて発行する第１発行手段(S37)、第１発行手段によって発行された記録開始指示を受け付けた電子カメラからカメラ識別子と記録開始時刻とを含む属性情報を受信する受信手段(S39)、および受信手段によって受信された属性情報を記録開始手段の処理によって記録された画像に割り当てる割り当て手段(S41, S51, S21)を備える。
【０００９】
好ましくは、記録開始手段によって開始された記録を記録終了操作に応答して終了する記録終了手段(S19)、および記録終了手段の処理に関連して記録終了指示を受信手段によって受信された属性情報の送信元に向けて発行する第２発行手段(S49)がさらに備えられる。
【００１０】
或る局面では、第２発行手段の処理に先立って受信手段を停止する停止手段手段(S45)がさらに備えられる。
【００１１】
他の局面では、第１発行手段はブロードキャスト方式で記録開始指示を発行し、第２発行手段はユニキャスト方式で記録終了指示を発行する。
【００１２】
この発明に従う記録制御プログラムは、電子カメラ(10)のプロセッサ(34)に、撮像手段(16)から繰り返し出力される複数の画像の記録を記録開始操作に応答して開始する記録開始ステップ(S11)、記録開始ステップの処理に関連して記録開始指示を周辺の電子カメラに向けて発行する発行ステップ(S37)、発行ステップによって発行された記録開始指示を受け付けた電子カメラからカメラ識別子と記録開始時刻とを含む属性情報を受信する受信ステップ(S39)、および受信ステップによって受信された属性情報を記録開始ステップの処理によって記録された画像に割り当てる割り当てステップ(S41, S51, S21)を実行させるための、記録制御プログラムである。
【００１３】
この発明に従う記録制御方法は、電子カメラ(10)によって実行される記録制御方法であって、撮像手段(16)から繰り返し出力される複数の画像の記録を記録開始操作に応答して開始する記録開始ステップ(S11)、記録開始ステップの処理に関連して記録開始指示を周辺の電子カメラに向けて発行する発行ステップ(S37)、発行ステップによって発行された記録開始指示を受け付けた電子カメラからカメラ識別子と記録開始時刻とを含む属性情報を受信する受信ステップ(S39)、および受信ステップによって受信された属性情報を記録開始ステップの処理によって記録された画像に割り当てる割り当てステップ(S41, S51, S21)を備える。
【００１４】
この発明に従う外部制御プログラムは、メモリ(44)に保存された内部制御プログラムに従う処理を実行するプロセッサ(34)を備える電子カメラ(10)に供給される外部制御プログラムであって、撮像手段(16)から繰り返し出力される複数の画像の記録を記録開始操作に応答して開始する記録開始ステップ(S11)、記録開始ステップの処理に関連して記録開始指示を周辺の電子カメラに向けて発行する発行ステップ(S37)、発行ステップによって発行された記録開始指示を受け付けた電子カメラからカメラ識別子と記録開始時刻とを含む属性情報を受信する受信ステップ(S39)、および受信ステップによって受信された属性情報を記録開始ステップの処理によって記録された画像に割り当てる割り当てステップ(S41, S51, S21)を内部制御プログラムと協働してプロセッサに実行させるための、外部制御プログラムである。
【００１５】
この発明に従う電子カメラ(10)は、外部制御プログラムを取り込む取り込み手段(42)、および取り込み手段によって取り込まれた外部制御プログラムとメモリ(44)に保存された内部制御プログラムとに従う処理を実行するプロセッサ(34)を備える電子カメラであって、外部制御プログラムは、撮像手段(16)から繰り返し出力される複数の画像の記録を記録開始操作に応答して開始する記録開始ステップ(S11)、記録開始ステップの処理に関連して記録開始指示を周辺の電子カメラに向けて発行する発行ステップ(S37)、発行ステップによって発行された記録開始指示を受け付けた電子カメラからカメラ識別子と記録開始時刻とを含む属性情報を受信する受信ステップ(S39)、および受信ステップによって受信された属性情報を記録開始ステップの処理によって記録された画像に割り当てる割り当てステップ(S41, S51, S21)を内部制御プログラムと協働して実行するプログラムに相当する。
【発明の効果】
【００１６】
この発明によれば、記録が開始されると、記録開始指示が周辺のカメラに向けて発行される。記録開始指示を受け付けたカメラは、カメラ識別子と記録開始時刻とを含む属性情報を返送する。返送された属性情報は、記録画像に割り当てられる。これによって、時刻合わせに関する性能ひいては記録性能が向上する。
【００１７】
この発明の上述の目的，その他の目的，特徴および利点は、図面を参照して行う以下の実施例の詳細な説明から一層明らかとなろう。
【図面の簡単な説明】
【００１８】
【図１】この発明の一実施例の基本的構成を示すブロック図である。
【図２】この発明の一実施例の構成を示すブロック図である。
【図３】メインカメラおよびサブカメラの各々の動作の一例を示す図解図である。
【図４】図２実施例に適用されるレジスタの構成の一例を示す図解図である。
【図５】図２実施例によって作成される動画ファイルの構造の一例を示す図解図である。
【図６】運動場におけるメインカメラおよびサブカメラの配置状態の一例を示す図解図である。
【図７】図２実施例に適用されるＣＰＵの動作の一部を示すフロー図である。
【図８】図２実施例に適用されるＣＰＵの動作の他の一部を示すフロー図である。
【図９】図２実施例に適用されるＣＰＵの動作のその他の一部を示すフロー図である。
【発明を実施するための形態】
【００１９】
以下、この発明の実施の形態を図面を参照しながら説明する。
［基本的構成］
【００２０】
図１を参照して、この実施例の電子カメラは、基本的に次のように構成される。記録開始手段１は、撮像手段５から繰り返し出力される複数の画像の記録を記録開始操作に応答して開始する。第１発行手段２は、記録開始手段１の処理に関連して記録開始指示を周辺の電子カメラに向けて発行する。受信手段３は、第１発行手段２によって発行された記録開始指示を受け付けた電子カメラからカメラ識別子と記録開始時刻とを含む属性情報を受信する。割り当て手段４は、受信手段３によって受信された属性情報を記録開始手段１の処理によって記録された画像に割り当てる。
【００２１】
記録が開始されると、記録開始指示が周辺のカメラに向けて発行される。記録開始指示を受け付けたカメラは、カメラ識別子と記録開始時刻とを含む属性情報を返送する。返送された属性情報は、記録画像に割り当てられる。これによって、時刻合わせに関する性能ひいては記録性能が向上する。
［実施例］
【００２２】
図２を参照して、この実施例のディジタルビデオカメラ１０は、ドライバ１８ａおよび１８ｂによってそれぞれ駆動されるフォーカスレンズ１２および絞りユニット１４を含む。シーンを表す光学像は、これらの部材を通してイメージセンサ１６の撮像面に照射される。撮像面は、原色ベイヤ配列の色フィルタ（図示せず）によって覆われる。したがって、各画素では、Ｒ（Red），Ｇ（Green）およびＢ（Blue）のいずれか１つの色情報を有する電荷が光電変換によって生成される。
【００２３】
電源が投入されると、ＣＰＵ３４は、動画取り込み処理を実行するべくドライバ１８ｃを起動する。ドライバ１８ｃは、周期的に発生する垂直同期信号Ｖｓｙｎｃに応答して、撮像面を露光し、撮像面で生成された電荷をラスタ走査態様で読み出す。イメージセンサ１６からは、シーンを表す生画像データが繰り返し出力される。
【００２４】
前処理回路２０は、イメージセンサ１６から出力された生画像データにディジタルクランプ，画素欠陥補正，ゲイン制御などの処理を施し、処理後の生画像データをメモリ制御回路２２を通してＳＤＲＡＭ２４の生画像エリア２４ａに書き込む。後処理回路２６は、生画像エリア２４ａに格納された生画像データをメモリ制御回路２２を通して繰り返し読み出し、読み出された生画像データに色分離，白バランス調整，ＹＵＶ変換などの処理を施す。これによって作成された画像データは、メモリ制御回路２２を通してＳＤＲＡＭ２４のＹＵＶ画像エリア２４ｂに書き込まれる。
【００２５】
ＬＣＤドライバ２８は、ＹＵＶ画像エリア２４ｂに格納された画像データを繰り返し読み出し、読み出された画像データに基づいてＬＣＤモニタ３０を駆動する。この結果、シーンを表すリアルタイム動画像（スルー画像）がモニタ画面に表示される。
【００２６】
前処理回路２０はまた、ゲイン制御までの一連の処理を施された生画像データを簡易的にＹデータに変換し、変換されたＹデータをＡＥ／ＡＦ評価回路３２に与える。ＡＥ／ＡＦ評価回路３２は、与えられたＹデータのうち評価エリア（図示せず）に属する一部のＹデータを垂直同信号Ｖｓｙｎｃに応答して積分し、積分値つまり輝度評価値をＣＰＵ３４に与える。ＡＥ／ＡＦ評価回路３２はまた、評価エリアに属する一部のＹデータの高周波成分を垂直同期信号Ｖｓｙｎｃに応答して積分し、積分値つまりフォーカス評価値をＣＰＵ３４に与える。
【００２７】
ＣＰＵ３４は、ＡＥ／ＡＦ評価回路３２から出力された輝度評価値を参照したＡＥ処理によって適正ＥＶ値を算出し、算出された適正ＥＶ値を定義する絞り量および露光時間をドライバ１８ｂおよび１８ｃにそれぞれ設定する。この結果、ＬＣＤモニタ３０から出力されるスルー画像の明るさが適度に調整される。
【００２８】
ＣＰＵ３４はまた、ＡＥ／ＡＦ評価回路３２から出力されたフォーカス評価値を参照したコンティニュアスＡＦ処理を実行し、フォーカスレンズ１２を合焦点に配置する。この結果、ＬＣＤモニタ３０から出力されるスルー画像の鮮鋭度が継続的に向上する。
【００２９】
図３をさらに参照して、キー入力装置４０に対して記録開始操作が行われると、ＣＰＵ３４は、記録開始指示の発行を通信Ｉ／Ｆ４２に命令する。通信Ｉ／Ｆ４２は、周辺に存在する１または２以上のサブカメラに向けて、ブロードキャスト方式で記録開始指示を発行する。
【００３０】
ＣＰＵ３４はまた、画像データの記録を開始するべく、ファイル作成＆オープン処理の実行と動画記録処理の開始とをメモリＩ／Ｆ３６に命令する。メモリＩ／Ｆ３６は、新規の動画ファイルを記録媒体３８に作成し、かつ作成された動画ファイルをオープンする。メモリＩ／Ｆ３６はまた、ＹＵＶ画像エリア２４ｂに格納された画像データをメモリ制御回路２２を通して繰り返し読み出し、読み出された画像データをオープン状態の動画ファイルに書き込む。
【００３１】
通信Ｉ／Ｆ４２によって発行された記録開始指示を受け付けたサブカメラは、内蔵のイメージセンサから繰り返し出力される画像データの記録を開始し、記録開始時刻を検出し、そして検出された記録開始時刻と自分に割り当てられたカメラＩＤとを含むカメラ情報を記録開始指示の発行元（＝ディジタルカメラ１０）に返送する。
【００３２】
返送されたカメラ情報が通信Ｉ／Ｆ４２によって受信されると、ＣＰＵ３４は、受信されたカメラ情報からカメラＩＤおよび記録開始時刻を抽出し、抽出されたカメラＩＤおよび記録開始時刻を図４に示すレジスタＲＧＳＴに登録する。
【００３３】
キー入力装置４０によって記録終了操作が行われると、ＣＰＵ３４は、記録終了指示の発行を通信Ｉ／Ｆ４２に命令する。通信Ｉ／Ｆ４２は、レジスタＲＧＳＴに登録されたカメラＩＤを有するサブカメラに向けて、ユニキャスト方式で記録終了指示を発行する。サブカメラによる画像データの記録は、記録終了指示に応答して終了される。
【００３４】
サブカメラの記録媒体には、記録開始指示から記録終了操作までの間に取得された画像データが動画ファイル形式で記録される。記録された動画ファイルのヘッダには、記録開始指示および記録終了指示を受け付けた時刻とサブカメラのカメラＩＤとが記述される。
【００３５】
ＣＰＵ３４は続いて、各サブカメラのカメラＩＤおよび記録開始時刻をレジスタＲＧＳＴから読み出し、読み出された記録開始時刻およびカメラＩＤが記述された追加情報を作成する。追加情報が完成すると、ＣＰＵ３４は、動画記録処理の終了，ヘッダの記述およびファイルクローズをメモリＩ／Ｆ３６に命令する。
【００３６】
メモリＩ／Ｆ３６は、ＹＵＶ画像エリア２４ｂからの画像データの読み出しを終了し、追加情報を含むヘッダをオープン状態の動画ファイルに記述し、その後にオープン状態の動画ファイルをクローズする。これによって、図５に示す動画ファイルが完成する。なお、ヘッダには、追加情報の他にディジタルカメラ１０のカメラＩＤと記録開始操作および記録終了操作が行われた時刻とが記述される。
【００３７】
メインカメラＭＣ１（＝ディジタルカメラ１０）は、たとえば２つのサブカメラＳＣ１およびＳＣ２とともに、図６に示す要領で運動場のトラックに配置される。走者のスタートと同時にメインカメラＭＣ１に対して記録開始操作が行われると、メインカメラＭＣ１，サブカメラＳＣ１〜ＳＣ２の間でほぼ同時に動画記録処理が開始される。スタート直後の走者の姿を捉えた画像データはサブカメラＳＣ１によって記録され、コーナーを走る走者の姿を捉えた画像データはメインカメラＭＣ１によって記録され、そしてゴールに達する走者の姿を捉えた画像データはサブカメラＳＣ２によって記録される。
【００３８】
メインカメラＭＣ１によって作成された動画ファイルのヘッダには、サブカメラＳＣ１〜ＳＣ２の各々のカメラＩＤおよび記録開始時刻が追加情報として記述される。メインカメラＭＣ１，サブカメラＳＣ１〜ＳＣ２によって作成された３つの動画ファイルは、こうして記述された追加情報によって関連付けられる。これによって、メインカメラＭＣ１，サブカメラＳＣ１〜ＳＣ２で撮影された動画像の間での時刻合わせが可能となる。
【００３９】
ＣＰＵ３４は、図７に示す撮像タスクと図８〜図９に示すサブカメラ制御タスクを含む複数のタスクをマルチタスクＯＳの下で並列的に処理する。なお、これらのタスクに対応する制御プログラムは、フラッシュメモリ４４に記憶される。
【００４０】
図７を参照して、ステップＳ１では動画取り込み処理を開始する。ステップＳ３では記録開始操作が行われたか否かを判別し、判別結果がＮＯである限りステップＳ５のＡＥ処理とステップＳ７のコンティニュアスＡＦ処理とを繰り返し実行する。これによって、スルー画像の明るさおよび鮮鋭度が継続的に調整される。
【００４１】
ステップＳ３の判別結果がＮＯからＹＥＳに更新されると、ファイル作成＆オープン処理をステップＳ９でメモリＩ／Ｆ３６に命令し、動画記録処理の開始をステップＳ１１でメモリＩ／Ｆ３６に命令する。この結果、新規の動画ファイルが記録媒体３８に作成され、撮像面で捉えられたシーンを表す複数フレームの画像データがこの動画ファイルに書き込まれる。
【００４２】
ステップＳ１３では記録終了操作が行われたか否かを判別し、ＮＯである限りステップＳ１５のＡＥ処理とステップＳ１７のコンティニュアスＡＦ処理とを繰り返し実行する。ステップＳ１３の判別結果がＮＯからＹＥＳに更新されると、動画記録処理の終了をステップＳ１９でメモリＩ／Ｆ３６に命令し、ヘッダの記述をステップＳ２１でメモリＩ／Ｆ３６に命令し、そしてファイルクローズをステップＳ２３でメモリＩ／Ｆ３６に命令する。この結果、動画ファイルが完成する。ステップＳ２３の処理が完了すると、ステップＳ３に戻る。
【００４３】
なお、ステップＳ２１で記述されるヘッダには、記録開始操作および記録終了操作が行われた時刻およびディジタルカメラ１０のカメラＩＤに加えて、後述するステップＳ５１で作成された追加情報が書き込まれる。
【００４４】
図８を参照して、ステップＳ３１ではフラグＦＬＧｓｕｂを“０”に設定し、ステップＳ３３ではレジスタＲＧＳＴをクリアする。ステップＳ３５では、記録開始操作が行われたか否かを繰り返し判別する。判別結果がＮＯからＹＥＳに更新されるとステップＳ３７に進み、記録開始指示の発行を通信Ｉ／Ｆ４２に命令する。通信Ｉ／Ｆ４２は、周辺に存在する１または２以上のサブカメラに向けて記録開始指示を発行する。記録開始指示は、ブロードキャスト方式で送出される。
【００４５】
ステップＳ３９では、周辺のサブカメラから返送されたカメラ情報が通信Ｉ／Ｆ４２によって受信されたか否かを判別する。また、ステップＳ４５では、記録終了操作が行われたか否かを判別する。
【００４６】
ステップＳ３９の判別結果がＹＥＳであればステップＳ４１に進み、カメラＩＤおよび記録開始時刻を通信Ｉ／Ｆ４２によって受信されたカメラ情報から抽出する。抽出されたカメラＩＤおよび記録開始時刻は、レジスタＲＧＳＴに登録される。登録が完了すると、ステップＳ４３でフラグＦＬＧｓｕｂを“１”に更新し、その後にステップＳ３９に戻る。
【００４７】
ステップＳ４５の判別結果がＹＥＳであれば、フラグＦＬＧｓｕｂが“１”を示すか否かをステップＳ４７で判別する。判別結果がＮＯであればそのままステップＳ３３に戻る一方、判別結果がＹＥＳであればステップＳ４９〜Ｓ５１の処理を経てステップＳ３３に戻る。
【００４８】
ステップＳ４９では、記録終了指示の発行を通信Ｉ／Ｆ４２に命令する。通信Ｉ／Ｆ４２は、レジスタＲＧＳＴに登録されたカメラＩＤを有するサブカメラに向けて、ユニキャスト方式で記録終了指示を発行する。ステップＳ５１では、各サブカメラのカメラＩＤおよび記録開始時刻をレジスタＲＧＳＴから読み出し、読み出された記録開始時刻およびカメラＩＤが記述された追加情報を作成する。作成された追加情報は、ステップＳ２１で動画ファイルに書き込まれるヘッダに付加される。追加情報の作成が完了すると、ステップＳ５３でフラグＦＬＧｓｕｂを“０”に更新する。
【００４９】
以上の説明から分かるように、ＣＰＵ３４は、イメージセンサ１６によって捉えられたシーンを表す複数フレームの画像データの記録をキー入力装置４０に対して行われた記録開始操作に応答して開始し(S11)、記録開始指示を通信Ｉ／Ｆ４２を通して周辺のサブカメラに発行する(S37)。記録開始指示を受け付けたサブカメラは、動画記録を開始するとともに、カメラＩＤおよび記録開始時刻を含むカメラ情報を記録開始指示の発行元に返送する。返送されたカメラ情報が通信Ｉ／Ｆ４２によって受信されると(S39)、ＣＰＵ３４は、カメラ情報からカメラＩＤおよび記録開始時刻を抽出し(S41)、抽出されたカメラＩＤおよび記録開始時刻を記録開始操作によって記録された画像データに割り当てる(S51, S21)。
【００５０】
このように、記録が開始されると、記録開始指示が周辺のサブカメラに向けて発行される。記録開始指示を受け付けたサブカメラは、カメラＩＤと記録開始時刻とを含むカメラ情報を返送する。返送されたカメラ情報は、記録画像に割り当てられる。これによって、時刻合わせに関する性能ひいては記録性能が向上する。
【００５１】
なお、この実施例では、単一のメインカメラと１または２以上のサブカメラとの間で動画記録処理を連携させることを想定しているが、２以上のメインカメラと１または２以上のサブカメラとの間で動画記録処理を連携させるようにしてもよい。この場合、各々のサブカメラにおける動画記録処理は、２以上のメインカメラからそれぞれ発行された２以上の記録開始指示のうち最初の記録開始指示に応答して開始される。また、記録開始指示を発行した２以上のメインカメラには、共通の記録開始時刻が記述されたカメラ情報が返送される。さらに、各々のサブカメラにて開始された動画記録処理は、記録開始指示を発行した２以上のメインカメラからそれぞれ発行された２以上の記録終了指示のうち最後の記録終了指示に応答して終了される。なお、最初の記録終了指示から指定時間が経過した時点で動画記録処理を終了するようにしてもよい。
【００５２】
また、この実施例によれば、メインカメラはブロードキャスト方式で記録開始指示を発行するが、記録開始指示はユニキャスト方式で発行するようにしてもよい。ただし、この場合は、メインカメラのＩＤをサブカメラに予め登録する必要がある。
【００５３】
なお、この実施例では、マルチタスクＯＳおよびこれによって実行される複数のタスクに相当する制御プログラムは、フラッシュメモリ４４に予め記憶される。しかし、一部の制御プログラムを内部制御プログラムとしてフラッシュメモリ４４に当初から準備する一方、他の一部の制御プログラムを外部制御プログラムとして外部サーバから取得するようにしてもよい。この場合、外部制御プログラムは通信Ｉ／Ｆ４２を通して取得され、上述の動作は内部制御プログラムおよび外部制御プログラムの協働によって実現される。
【００５４】
また、この実施例では、ＣＰＵ３４によって実行される処理を上述の要領で複数のタスクに区分するようにしている。しかし、各々のタスクをさらに複数の小タスクに区分してもよく、さらには区分された複数の小タスクの一部を他のタスクに統合するようにしてもよい。また、各々のタスクを複数の小タスクに区分する場合、その全部または一部を外部サーバから取得するようにしてもよい。
【符号の説明】
【００５５】
１０  …ディジタルビデオカメラ
１６  …イメージセンサ
２０  …前処理回路
３４  …ＣＰＵ
４０  …キー入力装置
４２  …通信Ｉ／Ｆ
【図１】
2013157762.tif 000003
【図２】
2013157762.tif 000004
【図３】
2013157762.tif 000005
【図４】
2013157762.tif 000006
【図５】
2013157762.tif 000007
【図６】
2013157762.tif 000008
【図７】
2013157762.tif 000009
【図８】
2013157762.tif 000010
【図９】
2013157762.tif 000011